(57)【特許請求の範囲】
【請求項１】
台所シンクに、微細気泡が含有した洗浄水を吐出する洗浄水吐出装置と、前記微細気泡が含有しないシンク用水を吐出するシンク用水吐出装置と、を別個に設け、前記洗浄水吐出装置が、前記シンク用水吐出装置に至る給水流路から分岐された分岐流路に上流側から順に配設した気体混入部と微細気泡生成部と整流部とを有し、前記気体混入部が、前記分岐流路に設けた絞り部で発生する負圧によって気体を吸引混入させる構造を有し、前記微細気泡生成部が、前記分岐流路に設けた拡径部で発生する剪断力によって混入気泡を微細化させる構造を有し、前記整流部が、前記分岐流路に設けた流路径を絞る絞り径部にて流速を高める構造を有し、
前記洗浄水吐水装置が前記台所シンクに固定した設置基部と設置基部から突出した吐出ノズル部とを有し、内部を通る前記分岐流路に前記絞り部と前記拡径部とを形成して前記気体混入部と前記微細気泡生成部とを一体に設けた管路部材を、前記吐出ノズル部に配設し、
洗剤を貯留する洗剤タンクを前記吐出ノズル部に設け、前記洗剤タンクから供給された前記洗剤を前記分岐流路に混入させる洗剤混入部を前記絞り部に設け、
前記洗剤混入部を前記絞り部における前記気体混入部よりも下流側に配置したことを特徴とする台所用洗浄装置。
【請求項２】
前記気体混入部に前記管路部材を内外に貫いて流水に気体を導入する気体導入孔を有し、前記管路部材の外側に前記気体導入孔の外側開口の外方を覆う逆流水噴出防止板を設けたことを特徴とする請求項１記載の台所用洗浄装置。
【請求項３】
前記気体混入部よりも上流側の前記分岐流路に、前記分岐流路を開閉する洗浄水開閉弁を設けたことを特徴とする請求項１又は２記載の台所用洗浄装置。
【請求項４】
前記洗剤タンクから前記洗剤混入部に至る洗剤流路に、前記洗剤流路を開閉する洗剤用開閉弁を設けたことを特徴とする請求項１乃至３のいずれか一項に記載の台所用洗浄装置。
【請求項５】
前記洗剤用開閉弁が、前記洗剤タンクから供給された前記洗剤を小空間に一旦溜めると共に該小空間に溜めた前記洗剤を前記洗剤混入部に供給する構造を有したことを特徴とする請求項１乃至４のいずれか一項に記載の台所用洗浄装置。
【請求項６】
前記分岐流路を構成するフレキシブルホースを介して前記吐出ノズル部を前記設置基部に着脱自在に設けたことを特徴とする請求項１乃至５のいずれか一項に記載の台所用洗浄装置。
【発明の詳細な説明】
【技術分野】
【０００１】
本発明は、台所用洗浄装置に関するものである。
【背景技術】
【０００２】
従来から、台所用洗浄装置としては、特許文献１のように、給水流路に微細気泡発生装置を配置して生成した微細気泡含有水を台所シンクに吐水させる提案がなされている。微細気泡含有水は、洗浄対象物に微細気泡が衝突して破裂する際の衝撃によって食器などの洗浄対象物に付着した汚れを剥がしたりできる等の洗浄効果が知られており、上記提案はこれを台所シンクでの食器などの洗い作業などに適用したものである。
【０００３】
しかしながら、この提案によると、台所シンクに吐水させる水はその全てが微細気泡含有水となる。ここで、微細気泡含有水は白濁した外観を有する性質があり、これを調理作業で使用する場合には水に混ぜた調味料の溶け具合が見づらい等の不便さがある。また、微細気泡含有水は見かけの比重（嵩比重）の低下による節水効果を有しているが、流水量の不足から洗浄対象物の洗浄の最後に行うすすぎに時間がかかるなどの不便さがある。
【０００４】
すなわち、上記提案の台所用洗浄装置では台所で行う調理作業や洗浄作業において利便性が充分備わっているとは言えないものであり、調理作業や洗浄作業において良好な利便性を備える台所用洗浄装置が切望されているのが、現状である。
【特許文献１】特開２００７−１１７３１４号公報
【発明の開示】
【発明が解決しようとする課題】
【０００５】
本発明は上記の点に鑑みてなされたものであり、その目的とするところは、台所で行う調理作業や洗浄作業において良好な利便性を備える台所用洗浄装置を提供することにある。
【課題を解決するための手段】
【０００６】
上記課題を解決するために本発明の台所用洗浄装置１にあっては、台所シンク４に、微細気泡が含有した洗浄水を吐出する洗浄水吐出装置２と、微細気泡が含有しないシンク用水を吐出するシンク用水吐出装置３と、を別個に設け、洗浄水吐出装置２が、シンク用水吐出装置３に至る給水流路５から分岐された分岐流路７に上流側から順に配設した気体混入部１１と微細気泡生成部１２とを有し、気体混入部１１が、分岐流路７に設けた絞り部１４で発生する負圧によって気体を吸引混入させる構造を有し、微細気泡生成部１２が、分岐流路７に設けた拡径部１５で発生する剪断力によって混入気泡を微細化させる構造を有し、整流部１３が、分岐流路７に設けた流路径を絞る絞り径部１８にて流速を高める構造を有し、洗浄水吐出装置２が台所シンク４に固定した設置基部２２と設置基部２２から突出した吐出ノズル部２３とを有し、内部を通る分岐流路７に絞り部１４と拡径部１５とを形成して気体混入部１１と微細気泡生成部１２とを一体に設けた管路部材１０を、吐出ノズル部２３に配設し、洗剤を貯留する洗剤タンク２７を吐出ノズル部２３に設け、洗剤タンク２７から供給された洗剤を分岐流路７に混入させる洗剤混入部２８を絞り部１４に設け、洗剤混入部２８を絞り部１４における気体混入部１１よりも下流側に配置したことを特徴とする。これによると、台所で行う調理作業では、シンク用水吐出装置３から吐水される微細気泡が含有せずに白濁しないシンク用水を用い、調味料の混ざり具合等が見易くできるから、良好な利便性を確保できる。また、食器などの洗浄対象物の洗浄作業では、はじめに洗浄水吐出装置２から吐水される微細気泡の含有する洗浄水を用いて、微細気泡の洗浄効果を洗浄対象物に作用させて効果的に汚れを落とし、次いでシンク用水吐出装置３から吐水される微細気泡が含有せずに流水量の大きいシンク用水を用いて短時間で洗浄対象物のすすぎを行うことができるから、良好な利便性を確保できる。すなわち、台所で行う調理作業や洗浄作業においていずれも良好な利便性を備えることができる。
【０００７】
また、洗浄水吐出装置２が、シンク用水吐出装置３に至る給水流路５から分岐された分岐流路７に上流側から順に配設した気体混入部１１と微細気泡生成部１２とを有し、気体混入部１１が、分岐流路７に設けた絞り部１４で発生する負圧によって気体を吸引混入させる構造を有し、微細気泡生成部１２が、分岐流路７に設けた拡径部１５で発生する剪断力によって混入気泡を微細化させる構造を有し、整流部１３が、分岐流路７に設けた流路径を絞る絞り径部１８にて流速を高める構造を有したことで、給水流路５から分岐流路７に流れる給水の水道圧を利用して、気体混入部１１で気泡を混入して該気泡を微細気泡生成部１２で微細化して微細気泡を生成でき、微細気泡を効率良く生成可能にして洗浄水吐出装置２を小型化できる。また、整流部１３で洗浄水の流速を高めることができるから、勢いのある洗浄水で洗浄効果を高めると共に、洗浄水の流れに途切れをつくらずに、台所シンク４で見える状態で使用される洗浄水に対して使用者に違和感を抱かせないようにできる。
【０００８】
また、洗浄水吐出装置２が台所シンク４に固定した設置基部２２と設置基部２２から突出した吐出ノズル部２３とを有し、内部を通る分岐流路７に絞り部１４と拡径部１５とを形成して気体混入部１１と微細気泡生成部１２とを一体に設けた管路部材１０を、吐出ノズル部２３に配設したことで、台所シンク４上の開けた空間にある吐出ノズル部２３に微細気泡の生成に直接関わる気体混入部１１と微細気泡生成部１２とを有した管路部材１０を配置できたので、微細気泡の生成に関するメンテナンス作業などを容易に行うことができる。また、洗剤を貯留する洗剤タンク２７を吐出ノズル部２３に設け、洗剤タンク２７から供給された洗剤を分岐流路７に混入させる洗剤混入部２８を分岐流路７の絞り部１４に設けたことで、微細気泡に加えて洗剤が含有した洗浄水にできる。また、洗剤を貯留する洗剤タンク２７を台所シンク４の上方の開けた空間にある吐出ノズル部２３に設けたので、洗剤タンク２７への洗剤補充等のメンテナンス作業を容易にできる。また、洗剤混入部２８を分岐流路７の絞り部１４に設けたので、絞り部１４で発生する負圧によって分岐流路７を流れる水に洗剤を吸引混入させることができる。また、洗剤混入部２８を絞り部１４における気体混入部１１よりも下流側に配置したことで、洗剤混入部２８よりも気体混入部１１で絞り部１４で発生する負圧の影響を大きく受けるようになり、万一逆流が生じた際に洗剤が分岐流路７を経て給水流路５に流れ込む恐れを低減できる。
【０００９】
また、気体混入部１１に管路部材１０を内外に貫いて流水に気体を導入する気体導入孔１１ａを有し、管路部材１０の外側に気体導入孔１１ａの外側開口の外方を覆う逆流水噴出防止板３７を設けたことも好ましい。これによると、水道圧によって洗浄水は洗浄水吐出装置２から吐出するのであるが、不意に手などで洗浄水吐出装置２の洗浄水吐出口９を塞いでしまって気体導入孔１１ａから水が逃げるように噴出したとしても、管路部材１０の外側に気体導入孔１１ａの外側開口の外方を覆う逆流水噴出防止板３７によって、上記噴出した水を遮ることができて遠方に飛散しないようにできる。
【００１０】
また、気体混入部１１よりも上流側の分岐流路７に分岐流路７を開閉する洗浄水開閉弁２４，３３を設けたことも好ましい。これによると、洗浄水の吐水の有無の切り替えに係る洗浄水開閉弁２４，３３の開閉動作による水撃現象等の分岐流路７の内圧変動が、気体混入部１１に負荷されにくくて洗浄水が逆流する恐れを低減できる。
【００１３】
また、洗剤タンク２７から洗剤混入部２８に至る洗剤流路２９に、洗剤流路２９を開閉する洗剤用開閉弁３０を設けたことも好ましい。これによると、洗剤用開閉弁３０の開閉制御によって洗浄水の洗剤含有の有無を切り替えることができる。微細気泡に加えて洗剤を含有させた洗浄水では、洗剤の洗浄効果は勿論のこと、微細気泡の洗浄効果を向上させて、洗浄対象物に発揮させることができ、洗浄水の洗浄能力を格段に向上できる。
【００１４】
また、洗剤用開閉弁３０が、洗剤タンク２７から供給された洗剤を小空間３２に一旦溜めると共に該小空間３２に溜めた洗剤を洗剤混入部２８に供給する構造を有したことも好ましい。この洗剤用開閉弁３０によると、洗剤タンク２７の洗剤貯留量によらず、小空間３２に溜まった一定量の洗剤を洗剤混入部２８に安定供給できる。
【００１５】
また、分岐流路７を構成するフレキシブルホース２５を介して吐出ノズル部２３を設置基部２２に着脱自在に設けたことも好ましい。これによると、吐出ノズル部２３を分岐流路７に接続した状態で設置基部２２から外して自在に位置させることができ、吐出ノズル部２３から吐水される洗浄水を洗浄対象物に効率よく当てることができる。
【発明の効果】
【００１６】
本発明にあっては、台所で行う調理作業や洗浄作業においていずれも良好な利便性を備えることができる、という利点を有する。
【発明を実施するための最良の形態】
【００１７】
以下、本発明を添付図面に示す実施形態に基いて説明する。
【００１８】
図１乃至図５に本発明の実施の形態の例を示す。本例の台所用洗浄装置１は、図１のように、台所シンク４に、微細気泡が含有した洗浄水を吐出する洗浄水吐出装置２と、微細気泡が含有しないシンク用水を吐出するシンク用水吐出装置３と、を別個に設けたものである。すなわち、図２のようにシンク用水吐出装置３は、上水道から台所に至る給水流路５の末端部に設けられ、上水道の給水であるシンク用水をシンク用水吐出口６から吐出する装置であり、洗浄水吐出装置２は、給水流路５から分岐して台所に至る分岐流路７の末端部に設けられ、装備した微細気泡生成装置８によって上水道の給水中に微細気泡を生成して含有させた洗浄水を洗浄水吐出口９から吐出する装置である。なお、給水流路５には湯沸かし器などの温水器を配置することもできる。つまり、本例の台所用洗浄装置１は、シンク用水吐出装置３のシンク用水吐出口６からは水道水を吐出することができると共に、洗浄水吐出装置２の洗浄水吐出口９からは水道水に微細気泡を含ませて成る洗浄水を吐出することができるのである。
【００１９】
したがって、台所で行う調理作業では、シンク用水吐出装置３から吐水される微細気泡が含有せずに白濁しないシンク用水を用い、調味料の混ざり具合等が見易くできるから、良好な利便性を確保できる。また、食器などの洗浄対象物の洗浄作業では、はじめに洗浄水吐出装置２から吐水される微細気泡の含有する洗浄水を用いて、微細気泡の洗浄効果を洗浄対象物に作用させて効果的に汚れを落とし、次いでシンク用水吐出装置３から吐水される微細気泡が含有せずに流水量の大きいシンク用水を用いて短時間で洗浄対象物のすすぎを行うことができるから、良好な利便性を確保できる。すなわち、台所で行う調理作業や洗浄作業においていずれも良好な利便性を備えることができたものである。
【００２０】
ここで、洗浄水吐出装置２に備える微細気泡生成装置８としては、従来からある溶解タンクを用いて気泡を溶解してその後析出させて微細気泡を発生させるタイプも用いることができるが、本例では、水道圧を利用して微細気泡を生成させるタイプが用いられている。本例の微細気泡生成装置８は、図２のように管路部材１０内の分岐流路７に上流側から順に気体混入部１１、微細気泡生成部１２、整流部１３を配設して形成される。この管路部材１０は図４のような直管状のものであり、気体混入部１１は分岐流路７に設けた絞り部１４で発生する負圧によって気体を吸引混入させる構造となっており、微細気泡生成部１２は分岐流路７に設けた拡径部１５で発生する剪断力によって混入気泡を微細化させて微細気泡を生成させる構造となっている。つまり、本例の微細気泡生成装置８は、分岐流路７に流れる給水の水道圧を利用して微細気泡を効率良く生成可能にしたものであり、小型化が図られている。
【００２１】
詳しくは、上記管路部材１０は、上流管部１０ａと本体管部１０ｂと下流管部１０ｃとを連ねて取り付けることで形成される。本体管部１０ｂは上流側から縮径部１６、咽喉部１７、拡径部１５が連続した圧力損失の少ないベンチュリ管状に形成されており、上流管部１０ａは下流ほど径を細くした噴射ノズル状に形成されており、下流管部１０ｃはやや流路径を絞る絞り径部１８を経て流路径が一定の直管部１９を有して洗浄水の流速を向上できる形状に形成されている。分岐流路７に給水が流れると、上流管部１０ａの下流端にある噴射口２０が入り込む本体管部１０ｂの縮径部１６や本体管部１０ｂの咽喉部１７にて負圧が発生するのであって、上記絞り部１４を構成している。
【００２２】
ここで、気体混入部１１に有する流水に気体を導入する気体導入孔１１ａは、上流管部１０ａの下流端よりも上流位置の本体管部１０ｂを内外に貫いて絞り部１４に開口している。また、上流管部１０ａの噴射口２０は下流側ほど内径が広がる形状に形成されている。また、上記下流管部１０ｃが上記整流部１３を構成するのであるが、下流管部１０ｃの直管部１９にはその出口径Ｄの２倍以上の長さ寸法Ｌを備えるようにして洗浄水の脈動防止の確実性を向上し、台所シンク４での使用に適するようにしてある。なお、直管部１９の出口を洗浄水吐出口９としてもよい。また、分岐流路７の本体管部１０ｂと下流管部１０ｃとの境界部（すなわち、微細気泡生成部１２の直ぐ下流の部分）にはメッシュ板等の邪魔板２１を配置してあり、拡径部１５の内圧向上や撹拌効果を高めて微細気泡の生成効率を向上させている。
【００２３】
また、洗浄水吐出装置２は、図３のように台所シンク４に固定した設置基部２２と、設置基部２２から突出位置した吐出ノズル部２３とを有している。設置基部２２は流し台の台所シンク４の周縁部から立ち上げた立上部２２ａを有し、立上部２２ａの先端に洗浄水吐出装置２の洗浄水吐出口９を下方に向けるように吐出ノズル部２３が設けられている。本例の小型の微細気泡生成装置８は台所シンク４上の開けた空間にある吐出ノズル部２３に配置されており、微細気泡の生成に関するメンテナンス作業などを容易に行うことが可能にされている。
【００２４】
なお、図３中の２４は分岐流路７を開閉して洗浄水を流すか否かを切り替える電磁弁で構成した洗浄水開閉弁２４である。この洗浄水開閉弁２４は図示しない開閉弁操作部の使用者の操作により動作制御されるのであるが、開閉弁操作部は設置基部２２などの台所に立つ使用者の操作し易い箇所に設けるのが好ましい。また、吐出ノズル部２３は立上部２２ａに着脱自在に設けてもよい。この場合には図５のように、分岐流路７をフレキシブルホース２５で構成して立上部２２ａの先端から引き出し自在にすることで、分岐流路７が接続された吐出ノズル部２３を設置基部２２から外して自在に位置させることができ、吐出ノズル部２３の洗浄水吐出口９から吐水される洗浄水を洗浄対象物に効率よく当てることが可能である。
【００２５】
また、図６乃至図８には本発明の実施の形態の他例を示す。この例の台所用洗浄装置１は、その洗浄水吐出装置２に、先例同様の微細気泡生成装置８に加えて洗剤混入装置２６を設けており、吐出する洗浄水に微細気泡に加えて洗剤を含有可能にしたものである。微細気泡に加えて洗剤が含有された洗浄水は、微細気泡の洗浄効果に加えて洗剤の洗浄効果も洗浄対象物に発揮させることができ、洗浄能力を高めることができる。なお、先例と同様部位には同符号を付して説明を省き、以下の説明では先例と異なる部分につき説明していく。
【００２６】
洗剤混入装置２６は、洗剤を貯留する洗剤タンク２７と、洗剤タンク２７から供給された洗剤を分岐流路７に混入させる洗剤混入部２８とを有しており、図６，７のように、微細気泡生成装置８の脇に添設させるかたちで吐出ノズル部２３に設けている。すなわち、洗剤混入装置２６も台所シンク４上の開けた空間にある吐出ノズル部２３に設けているので、洗剤タンク２７への洗剤補充等のメンテナンス作業を容易に行うことが可能にされている。なお、本例の洗剤タンク２７は吐出ノズル部２３に着脱自在に設けられ、吐出ノズル部２３から取外しての洗剤補充が行われるものである。
【００２７】
また、洗剤混入部２８は、図７，８のように、微細気泡生成装置８を構成する管路部材１０の絞り部１４に設けられている。したがって、絞り部１４で発生する負圧によって分岐流路７に洗剤を吸引混入させることが可能にされている。ここで、洗剤混入部２８は絞り部１４における気体混入部１１よりも下流側に配置してある。詳しくは、気体混入部１１が本体管部１０ｂの縮径部１６に設けてあるのに比べ、洗剤混入部２８は本体管部１０ｂの咽喉部１７に設けられている。つまり、洗剤混入部２８よりも気体混入部１１で絞り部１４で発生する負圧の影響を大きく受けるように設定されているのであり、万一、分岐流路７で逆流が生じた際に、洗剤が分岐流路７を経て給水流路５側に流れ込むような恐れが低減されている。なお、気体導入孔１１ａは、微細気泡生成装置８における並設した洗剤混入装置２６側に設ける（好ましくは洗剤タンク２７と洗剤タンク２７の装着部位との隙間に開口させる）のが好ましく、気体導入孔１１ａを吐出ノズル部２３の外観に露出させずに吐出ノズル部２３の外観向上を図ることができる。
【００２８】
更に言うと、拡径部１５が構成する微細気泡生成部１２は、洗剤混入部２８が設けられた絞り部１４よりも分岐流路７の下流側に位置しており、つまり、洗剤混入部２８で洗剤が混入された後に微細気泡生成部１２で微細気泡が生成されるようにされている。洗剤はいわゆる界面活性剤であって含有した水の粘度（表面張力）を低下させる性質を有するから、生成される微細気泡の径を小さく且つ個数を増やして洗浄効果を向上させるという効果も有している。
【００２９】
また、洗剤タンク２７から洗剤混入部２８に至る洗剤流路２９には、洗剤流路２９を開閉する洗剤用開閉弁３０が設けられており、洗剤用開閉弁３０の開閉制御によって洗浄水の洗剤含有の有無を切り替えることで、洗浄水吐出装置２から吐水される洗浄水の種類（微細気泡のみ含有する洗浄水または、微細気泡及び洗剤を含む洗浄水）を選択可能にしてある。詳しくは、洗剤用開閉弁３０は図示しないばねにより洗剤流路２９を遮断する方向に付勢されている。洗剤用開閉弁３０を開く場合は、押釦スイッチ３１を前記ばね力に抗して押し込む。また、洗剤用開閉弁３０は押釦スイッチ３１の非押し込み時には前記ばね力により洗剤流路２９を遮断する位置に移動し、洗剤タンク２７から分岐流路７への洗剤の供給を停止する。これにより洗剤が継続して分岐流路７に供給されることを防止できる。
【００３０】
なお、洗剤用開閉弁３０としては、図９のような簡易な弁を用いてもよく、また図１０のように洗剤タンク２７から供給された洗剤を小空間３２に一旦溜めると共に該小空間３２に溜めた洗剤を洗剤混入部２８に供給する構造を採用するのも良い。この洗剤用開閉弁３０によると、洗剤タンク２７の洗剤貯留量によらず、小空間３２に溜まった一定量の洗剤を洗剤混入部２８に安定供給できるのである。殊に、本例の洗剤混入装置２６のように、洗剤タンク２７の下端側から洗剤流路２９が導出されて洗剤混入部２８に至るようにして、洗浄水吐出口９を下方に向けた吐出ノズル部２３に対して配置された場合のように、洗剤の分岐流路７への混入に洗剤タンク２７の洗剤貯留量によるヘッド差を利用するものの場合には、上記小空間３２を備えた洗剤用開閉弁３０を用いるのが、洗剤タンク２７の洗剤貯留量の影響を受けずに洗剤の安定供給を確保でき、ひいては洗浄水の洗剤含有量の安定化を確保できて好ましいのである。
【００３１】
また、本例の吐出ノズル部２３には、図８のように、分岐流路７を開閉する洗浄水開閉弁３３を設けてある。この洗浄水開閉弁３３には、操作レバー３４の操作に連動して軸方向に弁体３５がスライド移動（矢印ａ）して分岐流路７に設けた弁孔３６を開閉するスプール式の手動操作弁が採用されている。なお、本例の操作レバー３４は吐出ノズル部２３を持った手で更に握り込むことで分岐流路７が開状態にされ、離すことで分岐流路７が閉状態にされる。このように吐出ノズル部２３に洗浄水開閉弁３３を設けたことによると、特に図５のように使用者が吐出ノズル部２３を持って設置基部２２から外して自在な位置で使用できるものの場合に、吐出ノズル部２３を把持した手で洗浄水開閉弁３３の操作レバー３４を操作できるから、洗浄水を出す、止めるという作業を手元で簡単に切り替えられることとなり、洗浄作業の利便性の向上は勿論、作業を一時中断するときなどには無駄な水を流さないようにもできて節水効果も向上できる。
【００３２】
なお、設置基部２２の洗浄水開閉弁２４は勿論のこと、吐出ノズル部２３の洗浄水開閉弁３３も、気体混入部１１や洗剤混入部２８よりも上流側の分岐流路７に設けられている。つまり、気体混入部１１や洗剤混入部２８は洗浄水開閉弁２４よりも分岐流路７の洗浄水吐出口９側であるいわゆる開放側に位置するのであり、したがって、洗浄水開閉弁２４の開閉動作による水撃現象等の分岐流路７の内圧変動が気体混入部１１や洗剤混入部２８に負荷しにくくされ、気体混入孔１１ａや洗剤混入装置２６への水の逆流を防止できる、という配慮もなされている。殊に、洗浄水開閉弁２４（３３）が分岐流路７における洗剤混入部２８よりも上流部位に設けられたことによると、洗剤混入部２８にて混入された洗剤が給水流路５側に逆流することを洗浄水開閉弁２４（３３）で阻止することができる利点もある。
【００３３】
また、図１１のように、気体混入部１１の気体導入孔１１ａが内外に貫く管路部材１０において、管路部材１０の外側に気体導入孔１１ａの外側開口の外方を覆うような庇状の逆流水噴出防止板３７を設けることも好ましい。逆流水噴出防止板３７は、気体導入孔１１ａの外側開口を塞ぐものではなくて空気の通り道を確保するような片持ちの庇状の部材である。これによると、水道圧によって洗浄水は洗浄水吐出装置２から吐出するのであるが、不意に手などで洗浄水吐出装置２の洗浄水吐出口９を塞いでしまって気体導入孔１１ａから水が逃げるように噴出したとしても、管路部材１０の外側に気体導入孔１１ａの外側開口の外方を覆う逆流水噴出防止板３７によって、上記噴出した水を遮ることができて遠方に飛散しないようにできるのである。なお、この逆流水噴出防止板３７は先例（図１乃至５）に対しても適用できる。
【００３４】
また、図１２，１３のように、分岐流路７に流水量を調節する洗浄水量調節弁３８を設けることも好ましい。この例では洗浄水量調節弁３８は分岐流路において気体混入部１１や洗剤用開閉弁３３より上流部分に設けている。この洗浄水量調節弁３８によると、洗浄対象物の大きさや汚れのレベルに応じて適量の洗浄水量に調節できる。また、洗浄対象物の形状などにより水跳ねが気になるような場合においては、洗浄水量を調節することで水跳ねを気にせずに洗浄作業を行うことができ利便性を向上できる。なお、この洗浄水量調節弁３８は、たとえば設置基部２２など台所に立つ使用者の操作し易い箇所に設けた調節弁操作部３９に対する使用者の操作によって、その駆動制御が行われるのである。
【図面の簡単な説明】
【００３５】
【図１】実施の形態の例の台所用洗浄装置の斜視図である。
【図２】同上の台所用洗浄装置の概略構成図である。
【図３】同上の洗浄水吐出装置の概略側面図である。
【図４】同上の微細気泡生成装置の側断面図である。
【図５】同上の洗浄水吐出装置の使用形態図である。
【図６】実施の形態の他例の台所用洗浄装置における洗浄水吐出装置の概略側面図である。
【図７】同上の洗浄水吐出装置の要部の概略断面図である。
【図８】同上の洗浄水吐出装置の断面図である。
【図９】実施の形態の更に他例の台所用洗浄装置の要部の断面図である。
【図１０】実施の形態の更に他例の台所用洗浄装置の要部の断面図である。
【図１１】実施の形態の更に他例の台所用洗浄装置の要部の断面図である。
【図１２】実施の形態の更に他例の台所用洗浄装置における洗浄水吐出装置の概略側面図である。
【図１３】同上の洗浄水吐出装置の斜視図である。
【符号の説明】
【００３６】
１  台所用洗浄装置
２  洗浄水吐出装置
３  シンク用水吐出装置
４  台所シンク
５  給水流路
７  分岐流路
８  微細気泡生成装置
９  管路部材
１０  管路部材
１１  気体混入部
１１ａ  気体導入孔
１２  微細気泡生成部
１４  絞り部
１５  拡径部
２２  設置基部
２３  吐出ノズル部
２４  洗浄水開閉弁
２５  フレキシブルホース
２６  洗剤混入装置
２７  洗剤タンク
２８  洗剤混入部
３０  洗剤用開閉弁
３２  小空間
３３  洗浄水開閉弁
【図１】
0004858432.tif 000002
【図２】
0004858432.tif 000003
【図３】
0004858432.tif 000004
【図４】
0004858432.tif 000005
【図５】
0004858432.tif 000006
【図６】
0004858432.tif 000007
【図７】
0004858432.tif 000008
【図８】
0004858432.tif 000009
【図９】
0004858432.tif 000010
【図１０】
0004858432.tif 000011
【図１１】
0004858432.tif 000012
【図１２】
0004858432.tif 000013
【図１３】
0004858432.tif 000014